(57)【要約】      （修正有）【課題】蓄光性材料への蓄光付与を効率よく行えるようにするとともに、発光表面積を広くでき、しかもそれらが水分や、空気にさらされないようにした透明物品の装飾構造を提供する。【解決手段】物品の少なくとも一部にガラスまたは透明樹脂などの透明材料で構成される基層部分４と表層部分６とを有し、これら基層部分４と表層部分６の間に、例えば、硫化亜鉛系、硫化銅系、硫化カルシウム系、硫化ビスマス系、トリチウム系、その他の材料の蓄光性粉粒体５が分散状に配置固定されている。【選択図】図１
2005246926.tif 000002
【特許請求の範囲】
【請求項１】
物品の少なくとも一部に透明材料で構成される基層部分と表層部分とを有し、これら基層部分と表層部分の間には蓄光性粉粒体が分散状に配置固定されていることを特徴とする透明物品の装飾構造。
【請求項２】
前記蓄光性粉粒体は、前記基層部分の表面に設けられた凹部と、該凹部に充填された透明アクリル系樹脂により形成された表層部分の間に配置されることを特徴とする請求項１記載の透明物品の装飾構造。
【発明の詳細な説明】
【技術分野】
【０００１】
本発明は、コースター、装飾照明部品、ガラスコップ等の透明物品の装飾構造に関する。
【背景技術】
【０００２】
従来の蓄光性発光体は、蓄光顔料を合成樹脂材料に練り込んでいたが、これであると、合成樹脂材料に対する蓄光顔料の含有量が少なくなるため、十分な発光作用が得られなかった。そこで、チューブ形またはプレート形の透明な密封容器内に、蓄光顔料を粉末のまま封入して蓄光性顔料による発光作用を向上させるようにした蓄光性発光体が提案されている（例えば、特許文献１参照。）。
また、従来のコースターの欠点を改良するために、吸水性の布地と防水性プラスチック薄膜を接合・積層してなる複合材を使用し、前記吸水性の布地、防水性プラスチック薄膜又は両者間の接着剤に、蓄光性材料からなる発光材料を含有せしめたものもある（例えば、特許文献２参照。）。
【０００３】
なお、近年、無毒性であって無機質の高輝度蓄光性材料で、蛍光灯や昼間の太陽の光を吸収蓄積し、暗闇で自ら発光するものを庭用タイル等に混入したものも提供されている。この場合、蛍光灯や太陽光をわずか５分程度照射するだけで、１６時間以上視認可能な明るさで光り続ける素材があると紹介されている。（例えば、非特許文献１参照。）。
【特許文献１】特開平１０−２６９４８号公報（第３頁、第１〜２図）
【特許文献２】実用新案登録第３０７９６９８号公報（第９−１０頁、第１図）
【非特許文献１】有限会社サン・ユニット・カンパニー、「PRODUCT PROFILE」                 （http://web.kyoto-inet.or.jp/people/sansanuc）、ページ１
【発明の開示】
【発明が解決しようとする課題】
【０００４】
しかしながら、従来の特許文献１のものは、チューブ形またはプレート形の密封容器内で蓄光顔料が自由に移動し、そのため、一箇所に片寄って集結し、全体に万べんなく蓄光させることが困難となり、また、発光表面積も少なくなる欠点があった。また、特許文献２のコースターは、吸水性の布地が吸水すると蓄光性材料の発光作用が低下する欠点があった。
さらに、非特許文献１のものは、蓄光性材料が表面に露出しているため、水分や、空気にさらされて蓄光機能が低下する欠点もあり、水分や、空気にさらされる状況下での容器等に用いることは出来なかった。
【０００５】
そこで、本発明は、上記問題点に鑑み、蓄光性材料への蓄光付与を効率よく行えるようにするとともに、発光表面積を広くでき、しかもそれらが水分や、空気にさらされないようにした透明物品の装飾構造を提供するようにしたものである。
【課題を解決するための手段】
【０００６】
この技術的課題を解決するための本発明の技術的手段は、物品の少なくとも一部に透明材料で構成される基層部分と表層部分とを有し、これら基層部分と表層部分の間には蓄光性粉粒体が分散状に配置固定されている点にある。
また、前記蓄光性粉粒体は、前記基層部分の表面に設けられた凹部と、該凹部に充填された透明アクリル系樹脂により形成された表層部分の間に配置されている点にある。
【発明の効果】
【０００７】
本発明によれば、蓄光性粉粒体を分散状に配置したことによって個々の粉粒体に万べんなく光を照射することができ、蓄光付与を効率よく行うことができ、しかも、個々の粉粒体の発光表面積も増大することができ、従ってコースター、装飾照明部品、ガラスコップ、マドラー等の透明物品に適用し、好適な装飾構造を提供することが可能となる。つまり、平板状のコースターのような場合でも、粉粒体は分散状に配置されるから、複数枚を重ねた状態であっても各粉粒体の間隙を縫って透過する光により全ての粉粒体に効率よく蓄光させることが可能である。また、蓄光性粉粒体は基層部と表層部とで被覆されるため、水や空気に触れることがなく、発光作用の低下がない。従って、水にさらされるような容器（ガラスコップ等）にも好適である。なお、蓄光による光は、人間の心の「癒し」になる雰囲気を醸し出す効果もある。
【発明を実施するための最良の形態】
【０００８】
以下、本発明の実施の形態を図面に基づいて説明する。
図１は、本発明に係る物品の断面模式図であって、同図において、本発明の物品は、少なくとも一部に透明材料で構成される基層部分４と表層部分６とを有し、これら基層部分４と表層部分６の間には蓄光性粉粒体５が分散状に配置固定されている。
上記基層部分４と表層部分６とは、ガラスまたは透明樹脂などの透明材料で構成されるもので、両部分は、同一材料と異なる材料とのいずれで構成してもよい。
また、上記蓄光性粉粒体５には、例えば、硫化亜鉛系、硫化銅系、硫化カルシウム系、硫化ビスマス系、トリチウム系、その他の蓄光性材料の粉粒体が使用される。
【０００９】
図２及び図３は、本発明をコースター１に適用した第１実施形態の平面図と側面図を示しており、このコースター１は、角型の主体部２と、主体部２の下面に穿った同じく角型の下凹部２Ａに嵌着される角型のコースター嵌着体３とから形成されている。
コースター１の主体部２には、主体部２の上面を穿った丸型の上凹部２Ｂ、上凹部２Ｂ以外の残部からなる縁部２Ｃ、並びに前記下凹部２Ａとが設けられている。縁部２Ｃと上凹部２Ｂとの境界部には段差２Ｄが形成されている。
皿、グラス、その他の物品を上凹部２Ｂの面２Ｆに置いた場合は、前記物品が段差２Ｄにひっかかるために上凹部２Ｂからの前記物品の脱落は簡単には生じない。
【００１０】
コースター主体部２の下凹部２Ａに嵌着される嵌着体３のみの平面図を図４に、図５はその側面図を示す。嵌着された嵌着体３の底面３Ｇと主体部２の底面２Ｇとは同一平面を形成して、テーブル等の所定の位置に置かれる。コースター嵌着体３は、型内に蓄光性粉粒体を配置し、透明なアクリル系樹脂を流し込んで作成したもので、表層部分６となる。また、表層部分６である嵌着体３は、基層部分４である主体部２の下凹部２Ａに対して嵌着自在である。
なお、図２及び図３では、前記図１で示した基層部分４と表層部分６とは、両者の図面上も上下逆転しているが、上下逆転しても差し支えない。上記表層部分６の片面である基層部分側の面４Ａ（図１）に配置された蓄光性粉粒体５は、基層部分４と表層部分６の間に挟まれて配置され、かつ基層部分４と表層部分６で被覆されている。
【００１１】
蓄光性粉粒体５は、接着剤とともに表層部分６に入り込んで分散される場合もあるが、表層部分６の片面であって、基層部分側との反対面である表層部分６（図１）の外表面６Ａには露出することはない。すなわち、蓄光性粉粒体５は、嵌着体３の外表面には露出しない。もちろん、蓄光性粉粒体５は、コースター主体部２の外表面にも一切露出しない。従って、蓄光性粉粒体５は、水分にさらされることはなく、蓄光性の低下を生じない。
嵌着体３における蓄光性粉粒体５は、図２〜５に示すような散点状の分散配置である。すなわち、蓄光性粉粒体５の分散の状態は濃淡を有しており、淡い部分においては、透明なアクリル系樹脂のみの状況で、僅かの蓄光性粉粒体５が配置されているにすぎない。蓄光性粉粒体５の分散の状態に濃淡を有するために、嵌着体３は、その上面（底面）から底面（上面）まで、透けた透明な状況を保つことができる。もちろん、前記分散の状態が濃い部分（分散の密度が高い部分）においても、透明なアクリル系樹脂を透過する光を遮断するものではない。
【００１２】
結局、蓄光性粉粒体５の分散の密度が高い部分は、嵌着体３の水平方向に数箇所存在する。分散の状態が淡い部分（分散の密度の低い部分）も同じく数箇所存在する。そのような散点状に、基層部分４の片面に蓄光性粉粒体５が配置されて、蓄光性粉粒体５は表層部分６に被覆されている。
嵌着体３を主体部２の下凹部２Ａに嵌着したコースター１（図２）は、透光性がよく、コースター１の上面から、若しくは底面（下面）からの、いずれからの光の照射であっても、嵌着体３に配置された蓄光性粉粒体５を蓄光させやすい。コースター１自体を重ねて蓄光性粉粒体５を蓄光させるのにも相応しい。蓄光性粉粒体５の分散の密度が高い部分と密度の低い部分があるために、コースター１自体を重ねても、光が重ねた最上面から最底面（下面）へ、若しくは逆に最底面（下面）から最上面へ光が通過しやすく、従って重ねても蓄光性が優れている。コースターを重ねて効率よく蓄光させることが可能で、限られた場所（スペース）での蓄光が可能であって、コースターの取り扱いに優れる。
【００１３】
また、コースター主体部２には蓄光性粉粒体５は配置されておらず、コースター嵌着体３にのみ配置されており、コースター１の上凹部２Ｂの面２Ｆに物品を置くと、その嵌着体３からの光（蓄光）により物品が照らされ、「癒し」にもなる雰囲気を醸し出す。
図６（平面図）並びに図７（側面図）は、本発明の第２実施形態であって、図２に示すコースター１の変形例である。コースター主体部２の上凹部２Ｂの面２Ｆに複数の円柱突起部２Ｅを設けている。この円柱突起部２Ｅの高さの位置は、コースター主体部２の縁部２Ｃの上面２Ｆの高さより低く設定してある。
【００１４】
この円柱突起部２Ｅ自体は、コースター縁部２より柔らかいアクリル系樹脂で形成されていて、グラス、その他の物品を主体部２に設けられた上凹部２Ｂの面２Ｆ並びに円柱突起部２Ｅに置いたときの物品並びにコースター１への衝撃を緩和すると同時に、物品とコースター１間の滑り止めの役目も持っている。この円柱突起部２Ｅは、コースター１の装飾性を向上させていることは言うまでもない。
なお、この第２実施形態のコースター１には、蓄光性粉粒体５を配置した嵌着体３（図４）をコースター主体部２の下凹部２Ａに嵌着するのではなく、図６〜７に示すように、コースター主体部２自体に蓄光性粉粒体５を配置している。具体的には、上凹部２Ｂと下凹部２Ａとの挟まれた主体部２の部分に蓄光性粉粒体５が配置されている。この配置は、上記挟まれた部分の水平方向において、前述の実施形態１で述べた図１と同様に透明なアクリル系樹脂の基層部分４があって、その部分に蓄光性粉粒体５が配置され、同アクリル系樹脂の接着剤により同アクリル系樹脂の表層部分６に被覆され、基層部分４と表層部分６とが接着されている。このように、基層部分４と表層部分６が接着されて、蓄光性粉粒体５が配置されたコスター主体部２が構成されている。
【００１５】
次に、装飾構造を持つ装飾照明用品であって、図２〜７に示すコースター１（実施形態１〜２）を蓄光することができる蓄光装置１１を第３実施形態として説明する。この蓄光装置１１は、図８の斜視図に示すように、角型の枠１２と、その中の電灯１４と、枠１２の上部縁１３の各隅部又は各辺に１本ずつ配置された計４本の支柱１５とからなる。この４本の支柱１５は上部縁１３に等間隔かつ鉛直に設けられている。
上記支柱１５は、前記図１に示す断面（ただし、基層部分４と表層部分６の境界は、水平ではなく、円弧である。すなわち、支柱１５が円柱であり、従って、基層部分４も円柱１５Ａであるためである。）を持ち、基層部分４（円柱１５Ａ）の片面に、この実施形態３では外面に、蓄光性粉粒体５が散点状に配置されている。そして、表層部分６である透明な円筒にて蓄光性粉粒体５が被覆されている。
【００１６】
図９（ａ）に第３実施形態の支柱（一本）の正面図を示すように、この支柱１５の下部のネジ部１６が蓄光装置１１の上部縁１３に設けられたネジ孔１７に挿入されて、支柱１５は枠１２の上部縁１３にネジ止めされる。なお、この支柱１５を貫通している基層部分４である円柱１５Ａは透明であって、この蓄光装置１１中の電灯１４の光はネジ孔１７を通り、この透明な円柱１５Ａを貫通して支柱１５上部の自由端１５Ｂまで突き抜ける。すなわち、図９（ｂ）にこの支柱１５の断面を示すように、円柱軸である基層部分と、前記基層部分に散点状に配置された蓄光性粉粒体と、蓄光性粉粒体を被覆する表層部分である円筒とで構成された円柱の横断面において、前記蓄光性粉粒体が円柱軸基層部分である円柱軸外周に沿い円環となっている。
【００１７】
電灯１４の光は，支柱１５の蓄光性粉粒体５を支柱１５内部である円柱１５Ａから蓄光させると同時に、４本の支柱１５に四方を支えられ、かつ枠１２の上部縁１３に重ねて置かれた図２又は図６のコースター１（若しくは嵌着体３）も蓄光させる。
この蓄光装置１１は、コースター１（若しくは嵌着体３）を蓄光させているときにも人間の心に「癒し」を与えるような優雅な雰囲気を周辺にもたらす。コースター１（若しくは嵌着体３）の蓄光が完了して、コースター１（若しくは嵌着体３）を本蓄光装置１１から取り外した後であっても、ないしは周辺の照明が消された後であっても、支柱１５に配置された蓄光性粉粒体５が光ることにより支柱１５自体が光っている本蓄光装置は、引き続き優雅な雰囲気を保持する装飾部品となる。
【００１８】
次に、第４実施形態である、装飾構造を持ちながら蓄光性のある装飾照明灯２１を説明する。この装飾照明灯２１は、図１０の斜視図（斜め下方からの斜視図）に示すように、透明な一枚の円板２２、７本の円筒２３並びに３個の金具２４とからなる。
円板２２の中心並びにその周辺には等間隔に６ヶ所の穴（図示せず。）がある。円筒２３の中空部２５の空間と円板２２の穴の空間との空間同士が繋がるように、７個の円筒２３が、円板２２の穴の周囲であって、円板２２に直角に立脚して、円板２２に接着されている。なお、円板２２の中心に立脚している中心円筒２３Ａの長さは同一長さの他の６本の周辺円筒２３Ｂの２倍である。
【００１９】
３個の金具２４（３個のうち、１個は図示されていない。）は、周辺円筒２３Ｂ２個毎の間に、金具２４の一方を円板２２を挟むように円板２２の水平方向から差し込む。そして、金具２４の他方をダウンライトの外壁に差し込むことにより本装飾照明灯２１を天井等のダウンライトの外壁に固定する。円筒２３は、一般に下向きに固定される。
上記円筒２３の肉部分２３Ｃの断面は、前記図１に示す断面（ただし、境界は、水平ではなく、円弧を描くのは、前記第３実施形態と同様である。）を持つものであって、円筒２３の内面である基層部分４の表層部分６側である片面に、蓄光性粉粒体５が前記第１〜４実施形態と同様に散点状に分散配置されている。なお、この散点状の分散配置は、必ずしも濃淡を必要としない。そして、表層部分６である透明な円筒にて蓄光性粉粒体５が被覆されて構成されている。表層部分６の外表面は、円筒２３の外表面となる。
【００２０】
円筒２３内の中空部２５を貫通する下向きの光は、室内を従来どおり明るく照らす一方で、円筒２３の蓄光性粉粒体５を筒内部から蓄光させる働きとなる。夜間、改めてダウンライトのスイッチを入れる音（スイッチ音）を発生させることなく、例えば夜間におけるトイレ等の明るさを保つのに、本第４実施形態の装飾照明灯２１は最適である。
次に、第１１図は第５実施形態を示す装飾照明用品である。この装飾照明用品である円筒灯２６は、灯金具２７とから構成されている。この円筒灯２７は、外部から照明等の光を別途当てることによって蓄光させる必要がある。また、灯金具２７は壁面用であって、円筒灯２６の両端に露出した基層部分４（円筒である。）の外面にクランプされる。クランプに使用された以外の灯金具２７の部分が接着面となって壁面に固定される。
【００２１】
本円筒灯２６をクランプするための両端に露出した部分を除いた円筒灯２６の断面は、前記図１に示す断面と同様である。円筒灯２６の内面である基層部分４の片面に、蓄光性粉粒体５が前記第１〜４実施形態と同様に散点状に分散配置されている。そして、表層部分６である透明な円筒にて蓄光性粉粒体５が被覆されている。
［背景技術］にも記載のような近年の高輝度蓄光素材からなる蓄光性粉粒体５を使用していることもあって、外部の照明等の光を消してからしばらく（通常、長くて５分程度）明るい従来の照明器具と比して、本発明の第５実施形態の円筒灯２６においては２０分程度は初期の明るさを十分に保ち、それから徐々に明るさが減少する。いつまでも明るいのも、安眠を妨害する等問題があり、徐々に明るさが減少するのはかえって好都合な用途、例えば就眠時等、に好都合である。
【００２２】
以上本発明の実施形態について説明したが、もちろん本発明は上記実施形態に限定されるものではない。例えば、基層部分４に蛍光塗料を含有させたものを使用すれば、蓄光による発光が一層鮮やかになる。また、物品は、コースター、装飾照明部品以外にガラスコップ３０（図１２）、マドラー３１（図１３）、ピッチャー、アイスペール、灰皿、茶碗等どのようなものであってもかまわない。
ガラスコップは、図１２のように、底の部分に本発明の装飾構造が付されている。ガラスコップ３０中の、例えば飲料の残量が少なくなると、飲料を上部に通過する光（蓄光）が次第に強く周辺の者（特に、飲料を飲んでいる者）に印象付けられることになり、飲料の残量が自ずと判ることになる。
【００２３】
マドラーは図１３のように、手で持つ部分ではなく、被攪拌物に接触する部分３１Ａに、各々本発明の装飾構造が付されている。なお、図１３の２本のマドラー３１は、各々の被攪拌物に接触する部分３１Ａの形状が各々違っており、気に入った形状に選択できる。
この本発明のマドラー３１は、被攪拌物中への浸漬深さ等が被攪拌物側面などから判明しやすいのみならず、攪拌することにより被攪拌物中で揺れ動くマドラー３１からの光（蓄光）は、「癒し」になる雰囲気を周辺に醸し出す。
本発明において、基層部分の片面の蓄光性粉粒体５の配置が散点状であることは、必ずしも蓄光性粉粒体５の分散の状態が濃淡を有していることに限定するものではなく、蓄光性粉粒体５が蓄光・発光するべく、ここかしこに散らばって点在する蓄光性粉粒体５の分散の状態を含むものであり、また、蓄光性粉粒体５の分散を例えば花や風車の模様を呈するように意図的に分布させることで一層装飾効果を高めることができる。
【産業上の利用可能性】
【００２４】
本発明の透明物品の装飾構造には、放射性物質を含まない近年開発された長期発光の蓄光性粉粒体を使用するのが好ましい。
上記蓄光性粉粒体は、耐候性に優れ半永久的に繰り返し光り続ける。一方、耐水性、並びに空気中での長時間の高温での暴露では発光能を徐々に低下するが、本発明のように、基層部分と表層部分の間に蓄光性粉粒体が配置固定されているため、蓄光性粉粒体が表層部分で被覆されることになり、水や空気に触れることが無く、従って、半永久的に繰り返し光り続ける。なお、蓄光性粉粒体は、従来のものも使用できる。
【図面の簡単な説明】
【００２５】
【図１】本発明に係る物品要部の断面模式図である。
【図２】第１実施形態の平面図である。
【図３】第１実施形態の側面図である。
【図４】第１実施形態の嵌着体平面図である。
【図５】第１実施形態の嵌着体側面図である。
【図６】第２実施形態の平面図である。
【図７】第２実施形態の側面図である。
【図８】第３実施形態の斜視図である。
【図９】（ａ）は、第３実施形態の支柱の正面図、（ｂ）は断面図である。
【図１０】第４実施形態の斜視図である。
【図１１】第５実施形態の正面図である。
【図１２】ガラスコップの正面図である。
【図１３】マドラーの正面図である。
【符号の説明】
【００２６】
１    コースター
２    主体部
２Ａ  下凹部
２Ｂ  上凹部
２Ｃ  縁部
２Ｄ  段差
２Ｅ  円柱突起部
２Ｆ  上凹部の面
２Ｇ  底面
２Ｈ  縁部の上面
３    嵌着体
４    基層部分
５    蓄光性粉粒体
６    表層部分
１１  蓄光装置
１４  電灯
１５  支柱
２１  装飾照明灯
２３  円筒
２３Ａ中心円筒
２３Ｂ周辺円筒
２６  円筒灯
【図１】
2005246926.tif 000003
【図２】
2005246926.tif 000004
【図３】
2005246926.tif 000005
【図４】
2005246926.tif 000006
【図５】
2005246926.tif 000007
【図６】
2005246926.tif 000008
【図７】
2005246926.tif 000009
【図８】
2005246926.tif 000010
【図９】
2005246926.tif 000011
【図１０】
2005246926.tif 000012
【図１１】
2005246926.tif 000013
【図１２】
2005246926.tif 000014
【図１３】
2005246926.tif 000015